(57)【要約】【課題】この発明はマットレスを支持した部分に湿気がこもるのを防止できるようにしたベッド装置を提供することにある。【解決手段】寝具を載置するためのベッドフレームを備えたベッド装置において、上記ベッドフレーム１は、一対の側板２と、この一対の側板の一端と他端とに連結されこれら側板を所定間隔でほぼ平行に離間させて連結した一対の端板３，４と、上記一対の側板間に架設されるとともに、上記寝具が載置される上面が凹凸面１４ａに形成された帯状板１４とを具備する。【選択図】　　図１
2004024758.tif 000002
【特許請求の範囲】
【請求項１】
寝具を載置するためのベッドフレームを備えたベッド装置において、
上記ベッドフレームは、
一対の側板と、
この一対の側板の一端と他端とに連結されこれら側板を所定間隔でほぼ平行に離間させて連結した一対の端板と、
上記一対の側板間に架設されるとともに、上記寝具が載置される上面が凹凸面に形成された床板体と、
を具備したことを特徴とするベッド装置。
【請求項２】
上記床板体は、上記ベッドフレームの長手方向に沿って所定間隔で架設された複数の帯状板によって形成され、上記凹凸面は各帯状板の上面に形成された通気溝からなることを特徴とする請求項１記載のベッド装置。
【請求項３】
上記側板の下端には、上記ベッドフレームの内部と外部とを連通する切り欠き部が形成されていることを特徴とする請求項１記載のベッド装置。
【請求項４】
上記側板は、ほぼ同じ長さの複数の分割片に分割されていて、隣り合う分割片は連結具によって分解可能に連結されていることを特徴とする請求項１記載のベッド装置。
【請求項５】
上記ベッドフレームと床板体のうち、少なくともベッドフレームは桐材によって形成されていることを特徴とする請求項１記載のベッド装置。
【発明の詳細な説明】
【０００１】
【発明の属する技術分野】
この発明はベッドフレームに設けられた床板体の上面に寝具を載置して利用するベッド装置に関する。
【０００２】
【従来の技術】
就寝中における利用者の発汗量は非常に多く、その発汗量のほとんどは寝具に吸収される。寝具は敷き寝具と掛け寝具とからなり、敷き寝具としてはマットレス、クッション、敷き布団などが利用され、掛け寝具としては掛け布団が利用される。
【０００３】
したがって、これらの寝具を湿気が吸収された状態で放置しておくと、ダニやカビの発生を招くため、非常に不衛生であるばかりか、吸湿した寝具は重量が増大するため、押入れに出し入れする際の労力が増大するなどのことがある。
【０００４】
とくに、寝具を畳まずに放置しておく、いわゆる万年床の場合、畳みと敷き布団との接合面間に湿気がたまり易いため、ダニやカビの発生が顕著になるということがある。
【０００５】
そこで、敷き布団を畳の上に直接敷かず、和式のベッド装置として開発されたベッドフレーム上に載置して利用するということが行なわれている。上記ベッドフレームは、平行に配置された一対の側板の一端と他端とをそれぞれ端板で連結して形成されている。上記一対の側板間には複数の帯状板が所定間隔で架設され、これら帯状板の上面に寝具が載置される。
【０００６】
【発明が解決しようとする課題】
このような構成のベッド装置を用いれば、寝具が畳みの面に密着しないことや複数の帯状板間に隙間があることなどによって寝具が湿気を吸収しても、その寝具に湿気がこもり難くなる。
【０００７】
しかしながら、寝具の下面は帯状板の上面に密着するから、これらの接合面間に湿気がこもり、その部分にダニやカビが発生するということがあった。とくに和式のベッド装置の場合、ベッドフレームの高さが低いから、寝具が吸収した湿気がベッドフレームの内部にたまり易く、それによっても帯状板と寝具との接合面間に湿気がこもり易くなるということがある。
【０００８】
この発明は、ベッドフレームの帯状板と、この帯状板上に載置される寝具との接合面間に湿気がこもり難いようにしたベッド装置を提供することにある。
【０００９】
【課題を解決するための手段】
請求項１の発明は、寝具を載置するためのベッドフレームを備えたベッド装置において、
上記ベッドフレームは、
一対の側板と、
この一対の側板の一端と他端とに連結されこれら側板を所定間隔でほぼ平行に離間させて連結した一対の端板と、
上記一対の側板間に架設されるとともに、上記寝具が載置される上面が凹凸面に形成された床板体と、
を具備したことを特徴とするベッド装置にある。
【００１０】
請求項２の発明は、上記床板体は、上記ベッドフレームの長手方向に沿って所定間隔で架設された複数の帯状板によって形成され、上記凹凸面は各帯状板の上面に形成された通気溝からなることを特徴とする請求項１記載のベッド装置にある。
【００１１】
請求項３の発明は、上記側板の下端には、上記ベッドフレームの内部と外部とを連通する切り欠き部が形成されていることを特徴とする請求項１記載のベッド装置にある。
【００１２】
請求項４の発明は、上記側板は、ほぼ同じ長さの複数の分割片に分割されていて、隣り合う分割片は連結具によって分解可能に連結されていることを特徴とする請求項１記載のベッド装置にある。
【００１３】
請求項５の発明は、上記ベッドフレームと床板体のうち、少なくともベッドフレームは桐材によって形成されていることを特徴とする請求項１記載のベッド装置にある。
【００１４】
この発明によれば、ベッドフレームの寝具が載置される床板体の上面と寝具の下面との密着度合が低減されるから、その部分に湿気がこもり難くなる。
【００１５】
【発明の実施の形態】
以下、図面を参照しながらこの発明の実施の形態を説明する。
【００１６】
図１乃至図６はこの発明の一実施の形態を示し、図１に示すベッド装置はベッドフレーム１を備えている。このベッドフレーム１は所定の間隔で平行に離間した一対の側板２と、これら一対の側板２の一端を連結した第１の端板３及び他端を連結した第２の端板４とによって形成されている。第１の端板３は第２の端板４よりも背が高く形成されており、その高さ寸法はベッドフレーム１の高さ寸法の約３倍に設定されている。
【００１７】
一対の側板２は長さ寸法がほぼ同じ３つの分割片２ａに分割されている。それによって、ベッドフレーム１は３つのフレーム部１ａ〜１ｃに分割されている。各フレーム部１ａ〜１ｃの分割片２ａの隣り合う端部上面、つまり中央のフレーム１ｂの分割片２ａの両端部の上面と、両端のフレーム部１ａ，１ｃの一端部上面には図４と図５に示すようにそれぞれ連結孔６が形成されている。
【００１８】
隣り合う一対のフレーム部１ｂと１ａ及び１ｂと１ｃは上記連結孔６を介して連結具７によって分解可能に連結される。上記連結具７は、線材を逆Ｕ字状に曲成して形成された一対のピン８と、これらピン８の上端に固着されたリング９とによって形成されている。
【００１９】
そして、連結具７は、一対のピン８を隣り合う分割片２ａの上面に開口して形成された一対の連結孔６に着脱可能に挿入して設けられる。それによって、分割されたフレーム部１ａ〜１ｃが分解可能に連結されて上記ベッドフレーム１を形成している。
【００２０】
なお、上記リング９に指を掛けて連結具７を抜けば、隣り合うフレーム部１ａ〜１ｃの連結状態を解除することができる。
【００２１】
各フレーム部１ａ〜１ｃの分割片２ａの高さ方向下端には両端部を除く部分に切り欠き部１１が形成され、両端部の下端面には畳み面などに傷を付けるのを防止するために、フェルトなどの材料によって形成された接地部材１２が設けられている。
【００２２】
各フレーム部１ａ〜１ｃの分割片２ａの内面には、長手方向全長にわたって受け桟１３が設けられている。一対の受け桟１３の上面には、ベッドフレーム１の長手方向に対して所定間隔で、床板体を構成する複数の帯状板１４が両端部を固定して架設されている。
【００２３】
各帯状板１４の上面には、長手方向に沿う複数の通気溝１５が幅方向に所定間隔で形成されている。これら通気溝１５によって帯状板１４の上面は凹凸面１４ａに形成されている。図４と図５では帯状板１４の上面に半円形状の凸部によって凹凸面１４ａを形成しているが、上記凸部の断面形状は台形状や矩形状などであってもよい。
【００２４】
なお、通気溝１５は帯状板１４の長手方向だけでなく、長手方向と交差する幅方向にも形成してよい。そうすることによって、帯状板１４の上面では通気溝１５が互いに連通するから、帯状板１４の上面の通気性をより一層、向上させることができる。
【００２５】
さらに、図３に示すように、各フレームａ〜１ｃに設けられた帯状板１４の下面の長手方向中央部には、補強桟１６が図示しないねじなどによって上記帯状板１４に固定されて設けられている。この補強桟１６の下端面は各フレーム部１ａ〜１ｃの分割片２ａの下端面とほぼ同じ高さであって、帯状板１４が下方へ撓むのを防止している。この補強桟１６の下端面にも、各フレーム部１ａ〜１ｃの下端面と同様、接地部材１２が設けられている。
【００２６】
そして、ベッドフレーム１の上面、つまり帯状板１４上には図１に鎖線で示しように、寝具としてたとえばマットレス１７が載置される。このマットレス１７は、ベッドフレーム１の各フレーム部１ａ〜１ｃと対応する３つのマットレス部１７ａ〜１７ｃに分割されている。
【００２７】
各マットレス部１７ａ〜１７ｃは、詳細は図示しないが、クッション材を外装地で被覆して形成されている。クッション材としては低反発ウレタンフォームが用いられ、外装地としては滑りにくい材料、たとえば布地にウレタンゴムをコーティングした材料などが用いられる。
【００２８】
上記ベッドフレーム１と帯状板１４とは木製であって、その材料としては桐材が用いられている。桐材は、湿気の吸収、排出性がよいので、防カビ、防虫効果に優れ、しかも柔軟性、弾力性に富むから、小さい傷なら回復し易い。さらに、光沢があり、熱を反射するため、触れると暖かく感じるということがある。一方、桐材は汚れ易いので塗料を塗るが、湿気の吸収、排出性を維持するために、自然塗料の柿シブが塗られている。
【００２９】
なお、ベッドフレーム１と帯状板１４のうち、帯状板１４は桐材以外の材料、たとえば他の木材や合成樹脂などによって作るようにしてもよい。
【００３０】
このような構成のベッド装置によれば、マットレス１７上に図示しない利用者が仰臥して就寝すると、利用者の発汗作用によってマットレス１７が湿気を吸収する。
【００３１】
マットレス１７はベッドフレーム１の帯状板１４に支持されているため、このマットレス１７に吸収された湿気は、マットレス１７の上面からだけでなく、下面からも放散される。
【００３２】
マットレス１７が帯状板１４によって支持されていることで、帯状板１４とマットレス１７との接合面間に湿気がこもり易くなる虞がある。しかしながら、上記帯状板１４の上面は通気溝１５によって凹凸面１４ａに形成されている。そのため、帯状板１４の上面はマットレス１７の下面に密着することがないから、これらの接合面に湿気がこもるのを防止できる。
【００３３】
マットレス１７の下面からベッドフレーム１内に放散された湿気は、このベッドフレーム１内にこもり、マットレス１７の下面やベッドフレーム１が設置された畳の面に吸収される虞がある。しかしながら、上記ベッドフレーム１の各フレーム部１ａ〜１ｃの分割片２ａには、ベッドフレーム１の内部と外部を連通させる切り欠き部１１が形成されている。
【００３４】
そのため、マットレス１７の下面から放散された湿気は上記切り欠き部１１からベッドフレーム１の外部に放散され、ベッドフレーム１内の湿度を高くすることがないから、ベッドフレーム１に載置されたマットレス１７の、とくに下面側に湿気がこもるのを防止できる。
【００３５】
ベッドフレーム１と帯状板１４とは桐材によって形成されている。桐材は湿気の吸収、排出に優れているから、ベッドフレーム１内の湿気はこのベッドフレーム１を形成する桐材に吸収される。そのため、そのことによっても、マットレス１７の下面側にが湿気をこもるのを防止できる。
【００３６】
上記ベッドフレーム１はほぼ同じ長さ寸法の３つのフレーム部１ｃに分割され、連結具７によって分解可能に連結されている。そのため、梱包時や不使用時などには図６に示すように３つのフレーム部１ａ〜１ｃを積み重ねることができるから、梱包や取り扱いに便利である。
【００３７】
つまり、第１のフレーム部１ａの上面に第２のフレーム部１ｂを重ね、第２のフレーム部１ｂの上面に第３のフレーム部１ｃを逆さにして重ねる。第１のフレーム部１ａに設けられた第１の端板３はベッドフレーム１の高さ寸法の約３倍の高さであるから、逆さに積まれた第３のフレーム部１ｃの上面とほぼ同じ高さになり、第３のフレーム部１ｃに設けられた第２の端板４は下向きになって第２のフレーム部１ｂに係合するから、これら端板３，４が邪魔になることがない。
【００３８】
ベッドフレーム１と同様、マットレス１７も３つのマットレス部１７ａ〜１７ｃに分割されている。そのため、図示しないが、マットレス１７もベッドフレーム１と同様、３つのマットレス部１７ａ〜１７ｃを積み重ねることで、梱包や取り扱いに便利となる。
【００３９】
この発明は上記一実施の形態に限定されず、種々変形可能である。たとえば、床板体は複数の帯状板によって形成したが、各フレーム部に対応する大きさの１枚の板材によって形成してもよい。その場合も、帯状板を用いたときと同様、上面を凹凸面に形成することで、マットレスとの接合面間に湿気がこもるのを防止し、さらに板材に厚さ方向に貫通する複数の貫通孔を形成することで、マットレスの湿気を板材の上面側から下面側に逃がすこともできる。
【００４０】
【発明の効果】
以上のようにこの発明によれば、ベッドフレームの寝具が載置される床板体の上面を凹凸面に形成した。
【００４１】
そのため、床板体の上面と寝具の下面との密着度合が低減され、その部分に湿気がこもり難くなるから、ダニやカビの発生を抑制することができる。
【図面の簡単な説明】
【図１】この発明の一実施の形態に係るベッド装置の斜視図。
【図２】ベッド装置の幅方向に沿う断面図。
【図３】ベッド装置の長手方向に沿う断面図。
【図４】隣り合うフレーム部の連結部分の側断面図。
【図５】隣り合うフレーム部の連結部分の斜視図。
【図６】ベッドフレームを３つに分割して重ねた状態の説明図。
【符号の説明】
１…ベッドフレーム
２…側板
３…第１の端板
４…第２の端板
７…連結具
１１…切り欠き部
１４…帯状板（床板体）
１４ａ…凹凸面
１５…通気溝
【図１】
2004024758.tif 000003
【図２】
2004024758.tif 000004
【図３】
2004024758.tif 000005
【図４】
2004024758.tif 000006
【図５】
2004024758.tif 000007
【図６】
2004024758.tif 000008